(57)【要約】【課題】筐体の組付け方向とコネクタの嵌合方向が違うコネクタを低嵌合することができるコネクタを提供する。【解決手段】コネクタホルダ４０がこのコネクタホルダに対するレバー３０の回動をロックすると共に、雄コネクタ１０への当該コネクタホルダの挿入に伴いレバー回動ロックを解除するレバー回動防止爪３０を備え、レバーがカム溝３３を備え、雄コネクタがカム溝に係合するボスを備え、雄コネクタへのコネクタホルダの挿入に伴い、カム溝３３にボス１３ｐが係合するとともに、雌コネクタ２０におけるレバーの回動中心とレバーのカム溝との距離が雌コネクタにおけるレバーの回動中心とコネクタホルダにおけるレバーの回動中心との間の距離よりも小さくなっている。【選択図】　　　　図１
2004022215.tif 000002
【特許請求の範囲】
【請求項１】
第１コネクタと、前記第１コネクタに嵌合可能な第２コネクタと、前記第２コネクタに回動自在に取り付けられたレバーと、前記レバーに回動自在に取り付けられたコネクタホルダとを備えたコネクタであって、
前記コネクタホルダが、当該コネクタホルダに対する前記レバーの回動をロックすると共に前記第１コネクタの所定位置への当該コネクタホルダの挿入に伴いレバー回動ロックを解除するレバー回動ロック手段を備え、
前記レバーがカム溝を備え、
前記第１コネクタが前記カム溝に係合する係合ピンを備え、
前記第１コネクタへの前記コネクタホルダの挿入に伴い前記カム溝に前記係合ピンが係合するとともに、前記第２コネクタにおけるレバーの回動中心と前記レバーのカム溝との距離は、前記第２コネクタにおけるレバーの回動中心と前記コネクタホルダにおけるレバーの回動中心との間の距離よりも小さいことを特徴とするコネクタ。
【請求項２】
前記カム溝は前記第１コネクタの係合ピンの進入位置から始まる前記レバーのカム溝の所定範囲において前記第２コネクタにおけるレバーの回動中心と前記レバーのカム溝との距離が前記進入位置から漸次小さくなる第１カム溝部と、前記第１カム溝部に連続し、前記第２コネクタにおけるレバーの回動中心と前記レバーのカム溝との距離が一定となる第２カム溝部とから構成されるとともに、前記レバーの前記コネクタホルダに対する回動支点を前記レバーにおいて変移可能とすることを特徴とする、請求項１に記載のコネクタ。
【請求項３】
前記第１コネクタへの前記コネクタホルダの挿入方向と前記第１コネクタと前記第２コネクタとの嵌合方向が一致していないことを特徴とする、請求項１または請求項２に記載のコネクタ。
【発明の詳細な説明】
【０００１】
【発明が属する技術分野】
本発明は、例えば自動車用の電気部品等の接続に使用するコネクタに関する。
【０００２】
【従来の技術】
従来から、例えば車両の天張りにルームランプ等の電気部品を取り付けるに当たって、天張りに内蔵された待ち受け側のコネクタにルームランプ等の挿入側コネクタを嵌合させるようになっている。このようなコネクタ接続の一例として、特開２００１−６８０６号公報に記載されているように、待ち受け側（雄）コネクタと、挿入側に回転可能に取り付けられたレバーと、そのレバーの先端に取り付けられた挿入側（雌）コネクタとを設け、それぞれのコネクタが取り付けてある筐体の組付け完了と同時にコネクタの嵌合も完了する構造を有するものがある。これは、筐体の組付け完了時のレバーの長さでコネクタが完全嵌合するようになっている。そして、レバーは嵌合面にまで雌コネクタを誘導するガイド棒としての役割を果たしている。
【０００３】
【発明が解決しようとする課題】
しかしながら、上述の構成のコネクタでは、コネクタホルダに対しレバーの回転がボスで止められているだけなので、挿入時にコネクタが正規の位置以外の所に接触した場合でもレバーが回転してしまう。即ち、コネクタがずれた状態でもレバーが回転してしまうので、筐体が取り付けできなかったりコネクタが嵌合できない問題があった。
【０００４】
このように完全嵌合を取付け完了時のレバーの長さに基づいたものとすると、筐体の（組付け方向の）ずれが生じた場合、コネクタの半嵌合が生じる恐れがある。
【０００５】
また、従来型のコネクタでは、コネクタ同士の嵌合を維持する機構がない為、組付け完了後に振動や衝撃により筐体同士がずれた場合、レバーの位置もずれることになりコネクタの嵌合が解除されて電気的な接続不良が生じる恐れもある。
【０００６】
さらに、筐体の組付け方向とコネクタの嵌合方向が違う場合、筐体の組付け方向とコネクタの嵌合方向が同じ場合に較べて、コネクタを嵌合させるために筐体を組み付ける力をより多く必要とし、低嵌合を達成できない。
【０００７】
本発明の目的は、上述の問題点を解決して筐体の組付け方向とコネクタの嵌合方向が違うコネクタを低嵌合することができるコネクタを提供することにある。
【０００８】
【課題を解決するための手段】
上述の課題を解決するために、本発明の一実施形態にかかるコネクタは、第１コネクタと、第１コネクタに嵌合可能な第２コネクタと、第２コネクタに回動自在に取り付けられたレバーと、レバーに回動自在に取り付けられたコネクタホルダとを備えたコネクタであって、コネクタホルダが、このコネクタホルダに対するレバーの回動をロックすると共に第１コネクタへの当該コネクタホルダの所定位置への挿入に伴いレバー回動ロックを解除するレバー回動ロック手段を備え、レバーがカム溝を備え、第１コネクタがカム溝に係合する係合ピンを備え、第１コネクタが第１コネクタの所定位置へのコネクタホルダの挿入に伴い、カム溝に係合ピンが係合するとともに、第２コネクタにおけるレバーの回動中心とレバーのカム溝との距離が、第２コネクタにおけるレバーの回動中心とコネクタホルダにおけるレバーの回動中心との間の距離よりも小さくなっている。
【０００９】
レバー回動ロック手段が通常はコネクタホルダに対するレバーの回動を規制し、第１コネクタの所定位置にコネクタホルダを挿入するときにのみレバー回動ロックを解除するようになっているので、挿入時にコネクタホルダが正規位置以外にある場合はレバーが回動することはなくコネクタの半嵌合が生じることもない。
【００１０】
また、第２コネクタにおけるレバーの回動中心とレバーのカム溝との距離が、第２コネクタにおけるレバーの回動中心とコネクタホルダにおけるレバーの回動中心との間の距離よりも小さいので、コネクタホルダ挿入力がテコの原理により倍加されてコネクタ嵌合力になり、確実なコネクタ嵌合が可能となる。
【００１１】
また、本発明の請求項２に記載のコネクタは、カム溝が第１コネクタの係合ピンの進入位置から始まる所定範囲において第２コネクタにおけるレバーの回動中心とレバーのカム溝との距離が漸次小さくなる第１カム溝部と、第１カム溝部に連続し、第２コネクタにおけるレバーの回動中心とレバーのカム溝との距離が一定となる第２カム溝部とから構成されるとともに、レバーのコネクタホルダに対する回動支点をレバーにおいて変移可能としている。
【００１２】
第２コネクタにおけるレバーの回動中心とレバーのカム溝との距離が一定の第２カム溝部が形成されていることと、レバーのコネクタホルダに対する回動支点をレバーにおいて変移可能なっていることが協働して、一旦コネクタが嵌合した後にも更にレバーを回動させてコネクタホルダを第１コネクタに挿入することができる。これによって、嵌合後のコネクタホルダの押し込み量が各部品間の公差に基づくずれ量を超えることになり、各部品間の公差を吸収しコネクタ半嵌合が生じることはない。
【００１３】
また、本発明の請求項３に記載のコネクタは、請求項１または請求項２に記載のコネクタにおいて、第１コネクタへのコネクタホルダの挿入方向と第１コネクタと第２コネクタとの嵌合方向が一致していない。
【００１４】
このような方向性の不一致が生じてもコネクタ低嵌合を実現するとともに部品間の公差等に起因する半嵌合を防止することができる。
【００１５】
【発明の実施の形態】
以下、本発明の一実施形態に係るコネクタを図面に基づいて説明する。
尚、図１ないし図７及びこれに関する以下の説明ではコネクタの上側半部を説明するが、下側半部についても同様な構成及び作用を有するものである。
【００１６】
本発明の一実施形態に係るコネクタ１は、図１及び図２の平面図に示すように、待ち受け側の雄コネクタ（第１コネクタ）１０と、雄コネクタ１０に挿入嵌合され、レバー３０を介してコネクタホルダ４０に結合された雌コネクタ（第２コネクタ）２０を備えている。
【００１７】
待ち受け側コネクタである雄コネクタ１０は外形が略直方体形状を有している。また、挿入側コネクタである雌コネクタ２０も略直方体形状を有し、コネクタホルダ４０は上面視略Ｌ型形状を有している。そして、レバー３０は雌コネクタ２０とコネクタホルダ４０を抱え込むように端面視角型Ｃ字形状を有している。
【００１８】
以下、最初に雄コネクタ１０について説明する。図１に示す雄コネクタ１０は樹脂でできており、その半部（図１中左側半部）には複数の端子を備えた雄コネクタ端子部（図示せず）が形成されている。
【００１９】
雄コネクタ１０の残りの半部には周囲の連続する三面に形成された上下外壁部（上方外壁部１１ａのみ図示）、及び側方外壁部１１ｂと雌コネクタ挿入側開口部１２とが形成されている。また、この外壁部１１ａと一定距離離間して雄コネクタの内方に内壁部１３ａが形成されている（図２参照）。外壁部１１ａと内壁部１３ａとの間隔は後述するレバー３０が挿入可能な大きさである。そして、上方内壁部１３ａ、下方内壁部、及び側方外壁部１１ｂで雌コネクタ挿入嵌合用の空間を形成している。なお、上方外壁部１１ａと下方外壁部とは後述するコネクタホルダ４０が進入できる程度の間隔を有しており、外壁部１１ａと内壁部１３ａとで形成される空間は上述の通りレバー３０が入り込むように形成されている。
【００２０】
雄コネクタ内壁部１３ａの雌コネクタ挿入側開口部は一部が切り欠かれている。そして、この切欠き部１３ｃの縁部は後述する雌コネクタ２０のボス２０ｐを待ち受ける待ち受け面１３ｄとして形成されている。また、待ち受け面１３ｄから雄コネクタ１０の長手方向にはガイド溝１３ｅが細長切欠き状に延在形成されている。更に、ガイド溝１３ｅの端部近傍には内壁部１３ａと外壁部１１ａとの間を連結するボス（係合ピン）１３ｐが形成されている。
【００２１】
また、外壁部１１ａの雌コネクタ挿入側開口部の縁部は、コネクタホルダ４０を雄コネクタ１０に正しく挿入したときのみレバー回動防止爪４１の先端部と係合してこの爪を撓ませ、コネクタホルダ４０とレバー３０のロックを解除できるように（図１中右端部に）形成されている。
【００２２】
続いて、挿入側コネクタについて説明する。図２に示す挿入側コネクタは上述の通り複数の雌端子（図示せず）を備えた樹脂製の雌コネクタ（第２コネクタ）２０と、上面視略Ｌ字型を有した樹脂製のコネクタホルダ４０と、雌コネクタ２０とコネクタホルダ４０を連結する端面視角型Ｃ字形状を有した樹脂製のレバー３０とから構成されている。なお、雌コネクタ２０は一番内側に形成され、次いでコネクタホルダ４０が雌コネクタ２０を収容可能なように形成され、最外部にはレバー３０がコネクタホルダ４０を抱え込むように形成されている。また、レバー３０とコネクタホルダ４０との間は雄コネクタの内壁部１３ａ（図１）が進入可能な間隔を有している。
【００２３】
雌コネクタ２０は、その一側（図１中左側）に複数の図示しない雌コネクタ端子を備えている。また、雌コネクタ２０の上下面には雌コネクタ２０がレバー３０と回動自在に連結するためのボス２０ｐが突出形成されている。なお、ボス２０ｐは、コネクタホルダ４０を雄コネクタ１０に挿入した際、雄コネクタ１０の内壁待ち受け面１３ｄ（図１）に当接するとともに待ち受け面１３ｄに沿って一方（図１中左側）に移動して内壁部のガイド溝１３ｅに進入するようになっている。また、レバー３０と雌コネクタ２０との間には雄コネクタの内壁面１３ａが進入可能となっている。
【００２４】
次に、コネクタホルダ４０について説明する。
【００２５】
コネクタホルダ４０も樹脂でできており上述の通り平面視略Ｌ字形状を有し、レバー３０のロックを解除した際、内部に雌コネクタ２０の一部を収容可能となっている。そして、コネクタホルダ４０の先端上下部にレバー回動防止爪（レバー回動ロック手段）４１が形成され、この爪４１のロックが解除したときのみコネクタ同士を嵌合可能なようになっている。なお、レバー回動防止爪４１は片持ち梁形状を有し、先端部には雄コネクタ外壁部と係合してレバー回動防止爪４１を撓ませる第１テーパ部４１ａが形成されている。また、第１のテーパ部４１ａに隣接してレバー３０との係合用段部４１ｂとレバー乗り上げ用の第２テーパ部４１ｃが形成されている。さらに、コネクタホルダ４０の上下面にはレバー３０との係合用ボス４０ｐが突出形成されている。
【００２６】
なお、レバー係合用段部４１ｂは通常状態ではレバーの凹み部３０ｈと係合し、レバー回動防止爪４１が撓んだ時にレバー３０がレバー回動防止爪の第２テーパ部４１ｃに乗り上げ、両者の係合が解除されるようになっている。
【００２７】
次に、レバー３０について説明する。レバー３０は樹脂でできており、上述の通り端面視角型Ｃ字形状をなし、コネクタホルダ４０と雌コネクタ２０をそれぞれ抱き込むようになっている。そして、レバー３０は上面視で二つの離間したボス係合孔３１，３２と、一方のボス係合孔３１に近接して形成されたカム溝３３とを有している。なお、カム溝側の係合孔３１は雌コネクタのボス２０ｐに嵌合し、雌コネクタ２０と互いに回動自在に係合し合うようになっている。一方、残りの係合孔３２はコネクタホルダのボス４０ｐに嵌合し、コネクタホルダ４０とレバー回動防止爪４１との係合が解除した状態でレバー３０がコネクタホルダ４０に対して回動可能となっている。尚、後者の係合孔３２は後述する部品間の公差に基づく組み付け方向のずれを吸収するために若干長孔形状になっている。
【００２８】
レバーのカム溝３３は係合孔３１まわりに若干湾曲して形成され、雄コネクタのボス１３ｐが溝内に進入し易いように入り口部３３ａが拡開している。すなわち、コネクタホルダ４０が雄コネクタ１０に対して適所に位置決めされ、雌コネクタのボス２０ｐが雄コネクタの待ち受け面１３ｄに当接した際、雄コネクタのボス２０ｐがカム溝３３に容易に進入するようになっている。
【００２９】
これによって、雄コネクタ１０に対するコネクタホルダ４０の挿入位置が雄コネクタ１０の長手方向に若干ずれてもこのずれ量が許容範囲であれば雄コネクタのボス１３ｐをレバーのカム溝３３に進入させることができる。
【００３０】
なお、カム溝３３は、図６に示すように、雄コネクタのボス１３ｐの進入位置から始まる、雄コネクタのボス１３ｐの進入に応じて雌コネクタ２０におけるレバー３０の回動中心とレバーのカム溝３３との距離が漸次小さくなる第１カム溝部３３ｂと、第１カム溝部３３ｂに連続し、雌コネクタ２０におけるレバー３０の回動中心とレバーのカム溝３３との距離が一定（距離Ｒ）となる第２カム溝部３３ｃとから構成されている。そして、雌コネクタ挿入途中、雄コネクタのボス１３ｐとレバーのカム溝３３が係合することで、カム溝形状に応じてレバー３０の回転軌跡を拘束するようになっている。
【００３１】
続いて、雄コネクタ１０に雌コネクタ２０を嵌合させる手順について説明する。
【００３２】
まず最初に、図３に示すように、雄コネクタの開口部１２に雌コネクタ２０を近づけ、雄コネクタ２０の長手方向と直交する方向から雌コネクタ２０を雄コネクタ１０に挿入する。これによって、図４に示す状態に移行する。
【００３３】
この挿入過程でコネクタホルダ４０の回転防止レバー端部を雄コネクタ外壁部１１ａの適所位置に当接させることで、レバー回動防止爪の第１テーパ部４１ａを雄コネクタの外壁部１１ａに当接させる（図４参照）。これによって、レバー回動防止爪４１がコネクタホルダ４０の内方に撓む。レバー回動防止爪４１がある程度撓むとレバーの凹み部３０ｈとレバー回動防止爪の段部４１ｂとの係合が解除されてレバー３０の回転規制が解除され、レバーの凹み部３０ｈが第２テーパ部４１ｃを乗り越えてレバー３０が一方向（図４中半時計方向）に回転し始める。
【００３４】
このように、コネクタホルダ４０にはレバー３０の回動を防止するレバー回動防止爪４１が設けられており、雄コネクタ１０の適所位置に挿入されないとロック解除ができないようになっているので、コネクタホルダ挿入時にコネクタホルダ４０が正規位置以外の場所に位置決めされてもレバー３０は回転せず、その結果、不十分な嵌合状態になるのを防止する。
【００３５】
なお、図４の状態では、雌コネクタのボス２０ｐが雄コネクタの待ち受け面１３ｄに当接している。そして、コネクタホルダ４０を雄コネクタ１０にさらに押し込むと雌コネクタのボス２０ｐが待ち受け面に沿って図４中左方向に移動し始める。これと同時に、レバー３０はコネクタホルダのボス４０ｐを中心として図４中反時計方向にさらに回転して、図５に示す段階に移行する。
【００３６】
コネクタホルダ４０を雄コネクタ１０にさらに進入させると雌コネクタのボス２０ｐが雄コネクタ内壁のガイド溝１３ｅに進入する。これと同時にレバー３０が回転することで雄コネクタのボス１３ｐがレバーのカム溝入り口部３３ａからカム溝内に進入し始める。
【００３７】
ここで、雄コネクタに設けられているボス１３ｐ、雌コネクタに設けられているボス２０ｐ、及びコネクタハウジング４０に設けられているボス４０ｐとの位置関係（比率）は、図５に示すように、（雌コネクタのボス（支点）２０ｐから雄コネクタのボス（作用点）１３ｐまでの距離）Ｘ＜（雌コネクタのボス（支点）２０ｐからコネクタハウジングに設けられているボス（力点）４０ｐまでの距離）Ｙとなっているので、てこの原理に基づいて低嵌合力でコネクタ同士をしっかりと嵌合する。
【００３８】
係るてこの原理を利用することで、コネクタホルダ４０の押込み方向と雄雌コネクタ１０，２０の嵌合方向が違っていても、嵌合力を低減することができ、組付け作業性が良くなる。その結果、コネクタホルダ４０やコネクタ１０，２０の組付け不良やコネクタ同士の嵌合不良を防ぐことにもなる。また、嵌合力を低減できることにより端子少極数タイプから多極数タイプまでの、様々なタイプのコネクタまで対応することが可能となる。
【００３９】
続いて、コネクタホルダ４０を雄コネクタ１０にさらに押し付けるとレバー３０がコネクタホルダのボス４０ｐを中心として図中さらに反時計方向に回転し、雄コネクタのボス１３ｐはカム溝内に完全に進入する。そして、図６に示す状態に達すると雌コネクタのボス２０ｐと雄コネクタのボス１３ｐとの間隔が距離Ｒとなる。なお、この状態では各部品間の公差に基づく組付け方向のずれ量がなければ、雄コネクタ１０と雌コネクタ２０とは、図６に示すように既に完全嵌合している。また、この状態ではコネクタホルダのボス４０ｐは同図に示すようにレバー長孔３２の左方向に偏倚している。
【００４０】
一方、カム溝形状には雄コネクタのボス１３ｐが図６に示す状態よりも更に溝奥に入り込むように第２カム溝部３３ｃが形成されている。そして、第２カム溝部３３ｃにおいては、カム溝３３と雌コネクタ２０に設けているボス２０ｐとの間が一定距離（距離Ｒ）になっている。また、コネクタホルダのボス４０ｐに係合するレバーの係合孔３２は長穴になっている。そして、このように構成されることで、コネクタホルダ４０を雄コネクタ１０に更に押し込むことができる。
【００４１】
図６に示す状態から、コネクタホルダ４０を雄コネクタ１０にさらに押し付けると雌コネクタのボス２０ｐと雄コネクタのボス１３ｐとの間の距離が一定（距離Ｒ）のまま、レバー３０が若干、図６中反時計方向に回転するとともに、コネクタホルダのボス４０ｐがレバー長孔３２の図中右方向に偏倚して図７に示す状態となる。
【００４２】
なお、嵌合後のカム溝形状を雌コネクタ２０に設けているボス２０ｐに対して、一定（距離Ｒ）とすることにより、図６に示す段階でコネクタ同士が完全嵌合している場合、コネクタホルダ４０の更なる押し込み中、コネクタ同士の嵌合状態をそのまま維持することができる。
【００４３】
また、嵌合後の押込み量と組付け方向のズレ量の関係が、押込み量＞ずれ量となっているので、部品間の公差に起因するずれを吸収することができ、コネクタの半嵌合が生じることはない。
【００４４】
すなわち、コネクタホルダ４０の第２カム溝部３３ｃに応じた押込み量を規定したのは、各部品間の公差に基づく組付け方向のずれ量を吸収することを考慮したためである。コネクタホルダ４０のこの更なる押込み動作によって、図６に示す状態において仮に各部品間の公差に基づく組付け方向のずれに起因して雄コネクタ１０と雌コネクタ２０とが半嵌合していても、図７に示す状態に達すると全嵌合するようになっている。
【００４５】
以上のようにコネクタ１は、コネクタホルダ４０を雄コネクタ１０の正規の位置に挿入するときのみレバー３０の回動ロックが解除されるので、コネクタ同士の半嵌合が防止できる。また、コネクタホルダ４０の挿入方向とコネクタ同士の嵌合方向が不一致であるにも係わらず、レバー３０のてこの原理を利用してコネクタ低嵌合を実現できる。更に、レバー３０にカム溝３３と雌コネクタのボス２０ｐとの間の距離が一定である第２カム溝部３３ｂを設け、かつレバー３０がコネクタホルダのボス４１ｐに対して変移可能としたので、コネクタホルダ同士の公差に基づく部品組み付け上のずれも吸収し、これによるコネクタ半嵌合を防止できる。
【００４６】
また、コネクタ同士の間の嵌合がレバー３０でしっかりと維持されているので、外力が不意に作用してもコネクタ同士の嵌合が解除することはない。
【００４７】
なお、上述のように嵌合した雌コネクタ２０を雄コネクタ１０から離脱させるためには、上述の手順と逆の手順を行えば良い。すなわち、まずコネクタホルダ４０を雄コネクタ１０から離脱させ、これと同時にレバー３０を上述の実施形態とは異なり図中時計方向に回転させ、これによって雄コネクタのボス１３ｐとレバーのカム溝３３との係合を解除させ、コネクタ同士の嵌合も解除させる。そして、雌コネクタ２０とレバー３０を雄コネクタ１０から離脱させる。
【００４８】
なお、上述の実施形態では第１コネクタを雄コネクタとし、第２コネクタを雌コネクタとしたが、もちろんこの逆、すなわち第１コネクタを雌コネクタとし、第２コネクタを雄コネクタとしても良い。
【００４９】
また、上述のコネクタは待ち受け側コネクタと挿入側コネクタとのコネクタ組付け方向とコネクタ嵌合方向が異なる場合であればいずれの電気部品の接続にも好適に使用できる。従って、上述した天張りのルームランプの取付けに限定されずグローブボックスの取付けやリヤコンビランプの取付け等様々な電気部品の取付けに適する。
【００５０】
【発明の効果】
以上説明したように、本発明の一実施形態にかかるコネクタは、レバー回動ロック手段が通常は第２コネクタに対するレバーの回動を規制し、第１コネクタの所定位置にコネクタホルダを挿入するときにのみレバー回動ロックを解除するようになっているので、挿入時にコネクタホルダが正規位置以外にある場合はレバーが回動することはなくコネクタの半嵌合が生じることもない。
【００５１】
また、第２コネクタにおけるレバーの回動中心とレバーのカム溝との距離が、第２コネクタにおけるレバーの回動中心とコネクタホルダにおけるレバーの回動中心との間の距離よりも小さいので、コネクタホルダ挿入力がテコの原理により倍加されてコネクタ嵌合力になり、確実なコネクタ嵌合が可能となる。
【００５２】
また、本発明の請求項２に記載のコネクタは、第２コネクタにおけるレバーの回動中心とレバーのカム溝との距離が一定する第２カム溝部が形成されていることと、レバーのコネクタホルダに対する回動支点をレバーにおいて変移可能なっていることとから、一旦コネクタが嵌合した後にも更にレバーを回動させてコネクタホルダを第１コネクタに挿入することができる。これによって、嵌合後のコネクタホルダの押し込み量が各部品間の公差に基づくずれ量を超えているので、各部品間の公差を吸収しコネクタ半嵌合が生じることはない。
【００５３】
また、本発明の請求項３に記載のコネクタは、請求項１または請求項２に記載のコネクタにおいて、第１コネクタへのコネクタホルダの挿入方向と第１コネクタと第２コネクタとの嵌合方向が一致していないが、このような方向性の不一致が生じてもコネクタ低嵌合を実現するとともに部品間の公差等に起因する半嵌合を防止することができる。
【図面の簡単な説明】
【図１】本発明の一実施形態にかかる雄コネクタを示す平面図である。
【図２】本発明の一実施形態にかかる雌コネクタ、レバー、及びコネクタホルダを示す平面図である。
【図３】本発明の一実施形態にかかるコネクタにおいて、雄コネクタに雌コネクタを接近させた状態を示す平面図である。
【図４】図３に続いて雄コネクタに雌コネクタを挿入させ始めた状態を一部破断して示す平面図である。
【図５】図４に続いて雄コネクタにコネクタホルダを挿入する状態を一部破断して示す平面図である。
【図６】図５に続いて雄コネクタにコネクタホルダを挿入する状態を一部破断して示す平面図である。
【図７】雄コネクタにコネクタホルダを完全に挿入した状態を一部破断して示す平面図である。
【符号の説明】
１　　コネクタ
１０　　雄コネクタ
１１ａ　　上方外壁部
１１ｂ　　側方外壁部
１２　　雌コネクタ挿入側開口部
１３ａ　　内壁部
１３ｃ　　切欠き部
１３ｄ　　待ち受け面
１３ｅ　　ガイド溝
１３ｐ　　ボス
２０　　雌コネクタ
２０ｐ　　ボス
３０　　レバー
３０ｈ　　凹み部
３１，３２　　ボス係合孔
３３　　カム溝
３３ａ　　カム溝入り口部
３３ｂ　　第１カム溝部
３３ｃ　　第２カム溝部
４０　　コネクタホルダ
４０ｐ　　ボス
４１　　レバー回動防止爪
４１ａ　　第１テーパ部
４１ｂ　　段部
４１ｃ　　第２テーパ部
【図１】
2004022215.tif 000003
【図２】
2004022215.tif 000004
【図３】
2004022215.tif 000005
【図４】
2004022215.tif 000006
【図５】
2004022215.tif 000007
【図６】
2004022215.tif 000008
【図７】
2004022215.tif 000009